(57)【要約】【課題】ユーザのスケジュールに応じて印刷設定を切替えることができる画像処理方法を提供する。【解決手段】印刷ジョブが含むユーザ識別情報と印刷設定とを、印刷ジョブから取得する取得工程と、取得したユーザ識別情報と、ユーザ毎に予め定められた印刷設定、ユーザそれぞれのスケジュール、及びユーザ毎に予め定められた印刷設定をスケジュールに応じて解除する設定解除条件とに基づいて、印刷ジョブに対する印刷設定を決定する決定工程と、を含むことを特徴とする。【選択図】図３
2015169957.tif 000002
【特許請求の範囲】
【請求項１】
印刷ジョブが含むユーザ識別情報と印刷設定とを、前記印刷ジョブから取得する取得工程と、
取得した前記ユーザ識別情報と、ユーザ毎に予め定められた印刷設定、ユーザそれぞれのスケジュール、及びユーザ毎に予め定められた印刷設定を前記スケジュールに応じて解除する設定解除条件とに基づいて、前記印刷ジョブに対する印刷設定を決定する決定工程と、
を含むことを特徴とする画像処理方法。
【請求項２】
前記スケジュールは、カテゴリ毎に分類されるカテゴリ情報を含み、
前記設定解除条件は、前記カテゴリ情報に対応づけられていること
を特徴とする請求項１に記載の画像処理方法。
【請求項３】
前記スケジュールは、ユーザの予定時間帯と、前記予定時間帯に対応付けられた他の時間帯とを含むこと
を特徴とする請求項１又は２に記載の画像処理方法。
【請求項４】
ネットワークを介して、ユーザ毎に予め定められた印刷設定、及び前記設定解除条件を変更する変更工程をさらに含むこと
を特徴とする請求項１乃至３のいずれか１項に記載の画像処理方法。
【請求項５】
ユーザ毎に予め定められた印刷設定を格納する第１格納部と、
ユーザそれぞれのスケジュールを格納する第２格納部と、
前記スケジュールに基づいて印刷設定を解除する設定解除条件を格納する第３格納部と、
印刷ジョブが含むユーザ識別情報と印刷設定とを、前記印刷ジョブから取得する情報取得部と、
前記情報取得部が取得した前記ユーザ識別情報、前記第１格納部が格納した印刷設定、前記第２格納部が格納した前記スケジュール、及び前記第３格納部が格納した前記設定解除条件に基づいて、前記印刷ジョブに対する印刷設定を決定する決定部と、
を有することを特徴とする画像処理装置。
【請求項６】
ユーザ毎に予め定められた印刷設定を格納する第１格納部と、
ユーザそれぞれのスケジュールを格納する第２格納部と、
前記スケジュールに基づいて印刷設定を解除する設定解除条件を格納する第３格納部と、
印刷ジョブが含むユーザ識別情報と印刷設定とを、前記印刷ジョブから取得する情報取得部と、
前記情報取得部が取得した前記ユーザ識別情報、前記第１格納部が格納した印刷設定、前記第２格納部が格納した前記スケジュール、及び前記第３格納部が格納した前記設定解除条件に基づいて、前記印刷ジョブに対する印刷設定を決定する決定部と、
前記決定部が決定した印刷設定を、前記印刷ジョブに対する印刷設定として画像形成装置へ送信する送信部と
を有することを特徴とする画像処理システム。
【発明の詳細な説明】
【技術分野】
【０００１】
本発明は、画像処理方法、画像処理装置及び画像処理システムに関する。
【背景技術】
【０００２】
近年、レーザプリンタ、複写機、印刷装置などの画像形成装置が広く利用されている。昨今では、省資源、省エネルギー化などの環境問題の観点から、低コストでの印刷が求められてきている。画像形成装置における低コストでの印刷には、用紙使用量を節約する集約印刷や、トナー使用量を節約するトナーセーブモードでの印刷などがある。
【０００３】
しかし、トナーセーブモードなどによって低コスト印刷を実現しても、毎回プリンタドライバ又は操作パネルなどによって設定を行わなければならず、ユーザへの徹底は困難であった。また、強制的にトナーセーブモードや集約印刷機能を設定しても、顧客への提案資料などの社外向け資料などに対しては、設定を強制できない場合がある。そこで、ユーザの属性に応じて低コスト印刷に関する設定を変更することが行われることがある。
【０００４】
ユーザの属性に応じて低コスト印刷に関する設定を変更することにより、社外向けの印刷資料が多い営業社員は低コスト印刷を回避でき、社内向けの資料の作成機会が多い総務社員などは低コスト印刷を強制するなどの、職種ごとに求められる印刷品質に応じて低コスト印刷の印刷条件を設定することは可能である。
【０００５】
また、例えば特許文献１には、現状のトナー残量や紙残量とユーザ名に対応した制御条件とからトナーセーブや両面印刷等をするか否かを判断して、印刷ジョブに含まれる印刷設定情報を更新させる印刷制御装置が開示されている。
【発明の概要】
【発明が解決しようとする課題】
【０００６】
しかしながら、ユーザの情報に応じて低コスト印刷に関わる設定を一意に決めてしまうと、低コスト印刷を実施しても問題がない場合であっても、低コスト印刷が設定されないことがあった。
【０００７】
本発明は、上記に鑑みてなされたものであって、ユーザのスケジュールに応じて印刷設定を切替えることができる画像処理方法、画像処理装置及び画像処理システムを提供することを目的とする。
【課題を解決するための手段】
【０００８】
上述した課題を解決し、目的を達成するために、本発明は、印刷ジョブが含むユーザ識別情報と印刷設定とを、前記印刷ジョブから取得する取得工程と、取得した前記ユーザ識別情報と、ユーザ毎に予め定められた印刷設定、ユーザそれぞれのスケジュール、及びユーザ毎に予め定められた印刷設定を前記スケジュールに応じて解除する設定解除条件とに基づいて、前記印刷ジョブに対する印刷設定を決定する決定工程と、を含むことを特徴とする。
【発明の効果】
【０００９】
本発明によれば、ユーザのスケジュールに応じて印刷設定を切替えることができるという効果を奏する。
【図面の簡単な説明】
【００１０】
【図１】図１は、実施の形態にかかる画像処理システムの構成を例示する図である。
【図２】図２は、複合機が有する機能、及びその周辺を示す機能ブロック図である。
【図３】図３は、制御サーバ及びスケジュールサーバが有する機能を示す機能ブロック図である。
【図４】図４は、制御サーバ内の条件格納部に格納されているユーザ毎の印刷設定を例示する図表である。
【図５】図５は、スケジュールサーバが格納している設定解除条件の第１例を示す図表である。
【図６】図６は、スケジュールサーバに登録されているユーザグループＡの一週間のスケジュールを例示する図表である。
【図７】図７は、スケジュールサーバが格納している設定解除条件の第２例を示す図表である。
【図８】図８は、画像処理システムの動作例を示すシーケンス図である。
【発明を実施するための形態】
【００１１】
以下に添付図面を参照して、画像処理システム（印刷システム）の実施の形態について説明する。図１は、実施の形態にかかる画像処理システムの構成を例示する図である。図１に示すように、印刷システムは、例えば１台以上のユーザ端末（クライアント装置）１０と、１台以上の複合機（ＭＦＰ：画像形成装置）２０と、１台以上の制御サーバ３０と、１台以上の管理者端末４０と、１台以上のスケジュールサーバ５０とがネットワークを介して互いに通信可能に接続されている。ネットワークは、インターネットやイントラネットである。
【００１２】
ユーザ端末１０は、複合機２０を制御するためのドライバがインストールされており、複合機２０を利用することができるようになっている。このため、ユーザ端末１０は、ドライバを記憶するためのメモリ、ドライバを読み出し実行するためのプロセッサ、複合機２０と通信するための通信デバイスを備える。ユーザ端末１０に実装されるドライバは、複合機２０を制御するためのドライバとすることができるが、機種に依存しない印刷データを出力可能な機種共通ドライバとすることもできる。
【００１３】
機種共通ドライバは、概ね機種間で共通する機能について互換性を有するものである。ドライバを用いて出力された印刷データは、部数、印刷対象、印刷範囲、フォント、余白、行数等については、印刷設定として設定された通りに印刷出力することができる。機種共通ドライバを用いて出力されたデータにおいても、ほぼ印刷設定として設定された通りに印刷出力することができる。
【００１４】
これらのドライバは、ユーザ端末１０が備えるアプリケーションを使用して作成された文書等のファイルを印刷データへ変換する。この印刷データは、印刷ジョブとして複合機２０に送信される。印刷ジョブは、印刷データだけではなく、印刷ジョブを実行させるユーザのアカウント情報（ユーザ識別情報）、及び当該印刷ジョブによる印刷の形態の設定である印刷設定も含んでいる。印刷設定には、設定項目として、集約印刷、両面印刷、モノクロ／カラー印刷、印刷サイズ、部数、トナーセーブモード、パンチ、ステーブル等を含む。その設定内容として、集約印刷に対して１枚の用紙に印刷するページ数、両面印刷の有無、モノクロ／カラー印刷に対してモノクロ印刷かカラー印刷かの選択、用紙サイズに対して用紙サイズの選択、部数に対して部数の選択、トナーセーブモードに対してトナーセーブするか否か、パンチに対してパンチするか否かとその位置、ステーブルに対してステーブル止めするか否かとその位置に関する情報を含む。
【００１５】
複合機２０は、ユーザ端末１０から受け付けた印刷ジョブを処理し、印刷を行う。このため、複合機２０は、プリンタ等の印刷装置を備える。印刷装置は、電子写真式のカラープリンタである場合、感光体ドラムと、感光体ドラムを帯電させるための帯電ユニットと、感光体ドラム上に潜像を形成するためにレーザ光を照射させる露光装置と、感光体ドラム上に形成された潜像を現像するためのトナーカートリッジ等を含む現像ユニットと、感光体ドラムに形成されたトナー像を転写ベルトに転写させる一次転写ユニットと、用紙を給紙するための給紙ユニットと、転写ベルト上のトナー像を用紙へ転写させる二次転写ユニットと、用紙へ転写されたトナー像をその用紙に定着させるための定着ユニットとを備える。
【００１６】
また、複合機２０は、露光装置におけるレーザ光の照射位置、強度、照射時間、転写ベルトの搬送速度、給紙速度、定着温度等の装置全体を制御するためのプロセッサ、その制御をプロセッサに実行させるためのプログラムを記憶するメモリ、ユーザ端末１０との間で通信を行うための通信デバイスを備える。その他、複合機２０は、排紙トレイ、パンチやステープル機能を実現するためのフィニッシャ等を備える。また、複合機２０は、複合機であるため、印刷装置の他、コピー機能、ＦＡＸ機能、スキャナ機能を実現するために必要な読み取り装置や、原稿を搬送するためのフィーダ等をさらに備える。
【００１７】
ユーザ端末１０と複合機２０との間の通信は、例えばＨＴＴＰやＦＴＰ等のプロトコルが使用される。ユーザは、ユーザ端末１０においてアプリケーションを使用して文書等を作成し、文字サイズ、行数、列数、余白、拡大や縮小、部数、用紙サイズ、印刷ページ番号、集約印刷におけるページ数、両面印刷の有無等の印刷設定を行い、複合機２０に対し印刷を指示する。複合機２０は、ユーザ端末１０から受信した、印刷ジョブをスプールし、印刷実行を待つ。
【００１８】
複合機２０が印刷ジョブをスプールしている間、制御サーバ３０は、複合機２０からのユーザ識別情報と、ユーザ毎に予め定められた印刷設定と、スケジュールサーバ５０に格納されている各ユーザの現在のスケジュールに応じて決定した印刷設定解除条件（設定解除条件）とから、トナーセーブすべきか、両面印刷するべきか、集約印刷するべきかなどを判断し、印刷設定の内容を決定して、複合機２０へ送信する。複合機２０は、受信した印刷設定の内容に基づいて、印刷ジョブに含まれる対応する印刷設定の内容を書き換えて更新する。
【００１９】
すなわち、画像処理システムは、スケジュールサーバ５０に登録されている各ユーザのスケジュールと、ユーザ毎に予め定められた印刷設定とから、トナーセーブすべきか、両面印刷や集約印刷をすべきか、背景印刷可能かなどを判断し、決定した印刷設定の内容に応じて印刷を実行する。
【００２０】
なお、制御サーバ３０とスケジュールサーバ５０とは、図１に示した構成例では別のハードウェアによって実現されているが、これに限定されることなく、スケジュールサーバ５０と制御サーバ３０とが同一のハードウェアであってもよい。また、制御サーバ３０及びスケジュールサーバ５０が複合機２０と一体に構成されてもよい。
【００２１】
次に、複合機２０が有する機能について詳述する。図２は、複合機２０が有する機能、及びその周辺を示す機能ブロック図である。図２に示すように、複合機２０は、ユーザ端末１０が作成して、ドライバにより変換された印刷データを印刷ジョブとして受け取る受信部２１と、受け取った印刷ジョブをスプールするスプール部２２と、印刷ジョブを解析するジョブ解析部２３とを備える。ジョブ解析部２３は、印刷ジョブに含まれるユーザ識別情報、印刷設定、後述する指定情報等を解析する。
【００２２】
また、複合機２０は、印刷ジョブに含まれるユーザ識別情報及び印刷設定等を取得するジョブ情報取得部２４と、複合機２０を構成する各構成機器に対して問い合わせを行い、機器情報やその構成機器が備える要素の要素情報を取得する機器情報取得部２５と、ユーザ識別情報と要素情報とを制御サーバ３０へ送信する情報送信部２６とを備える。なお、要素情報には、例えば印刷設定が含まれてもよい。
【００２３】
また、複合機２０は、受信部２１により受信した印刷設定の内容を基に、印刷ジョブに含まれる印刷設定の内容を更新する内容更新部２７と、更新された印刷設定に基づいて画像を形成する画像形成部２８と、形成された画像を用紙に印刷して出力する印刷実行部２９とを備える。なお、複合機２０が有する各機能は、ハードウェアによって構成されてもよいし、ソフトウェアによって構成されてもよい。
【００２４】
次に、制御サーバ３０及びスケジュールサーバ５０が有する機能について詳述する。図３は、制御サーバ３０及びスケジュールサーバ５０が有する機能を示す機能ブロック図である。
【００２５】
制御サーバ３０は、条件格納部３１と、情報取得部３２と、内容決定部３３と、内容送信部３４とを備える。条件格納部（第１格納部）３１は、ユーザ毎に予め定められた印刷設定などの要素情報をユーザ識別情報と対応付けて格納する。情報取得部３２は、複合機２０から印刷ジョブにおけるユーザ識別情報と印刷設定とを取得する。内容決定部（決定部）３３は、情報取得部３２が取得したユーザ識別情報に基づいて条件格納部３１から対応する印刷設定を読み出し、情報取得部３２が取得した要素情報とスケジュールサーバ５０から取得したスケジュールに対応する設定解除条件を用いて、印刷設定の内容を決定する。内容送信部３４は、内容決定部３３が決定した印刷設定の内容を複合機２０へ送信する。
【００２６】
条件格納部３１が格納する印刷設定は、トナーや紙の使用量に影響を与えるトナーセーブ、背景印刷、集約印刷、両面印刷、白紙印刷、カラー／モノクロ印刷といった設定内容を、「する」に設定するか「しない」に設定するかを判断させるための条件である。
【００２７】
トナーセーブは、トナーの使用量を減少させるという影響を与え、背景印刷も、背景印刷しなければトナーの使用量を減少させるという影響を与えるものである。集約印刷、両面印刷、白紙印刷は紙の使用量を減少させるという影響を与えるものである。なお、集約印刷は、文字等が縮小されることにより、トナー使用量を減少させることもできるものである。カラー／モノクロ印刷は、モノクロ印刷に「する」に設定するか「しない」に設定するかを判断させるための条件となる。
【００２８】
スケジュールサーバ５０は、情報取得部５１と、スケジュール格納部５２と、設定解除条件格納部５３と、内容送信部５４とを備える。情報取得部５１は、ユーザ識別情報を制御サーバ３０の情報取得部３２から取得する。スケジュール格納部（第２格納部）５２は、ユーザそれぞれのスケジュール（スケジュール情報）を格納する。設定解除条件格納部（第３格納部）５３は、ユーザのスケジュールの属性に応じて、印刷設定を解除する設定解除条件を格納する。内容送信部５４は、設定解除条件を制御サーバ３０に送信する。
【００２９】
設定解除条件は、制御サーバ３０内の条件格納部３１が格納しているトナーや紙の使用量に影響を与えるトナーセーブ、背景印刷、集約印刷、両面印刷、白紙印刷といった印刷設定に対し、「する」又は「しない」の設定条件をユーザのスケジュールに登録してある情報に基づいて変更するために用いられる。なお、制御サーバ３０及びスケジュールサーバ５０が有する各機能は、ハードウェアによって構成されてもよいし、ソフトウェアによって構成されてもよい。
【００３０】
図４は、制御サーバ３０内の条件格納部３１に格納されているユーザ毎の印刷設定を例示する図表である。ユーザグループＡ（営業系社員）は、トナーセーブに関しては強制的に「する（８０％）」、集約印刷に関しては強制的に「する」、モノクロ印刷設定に関してはプリンタドライバにて設定した印刷設定が可能になり、背景印刷に関しては強制的に「しない」が設定される。
【００３１】
ユーザグループＢ（企画）は、トナーセーブに関しては強制的に「する（８０％）」、集約印刷に関しては強制的に「する」、モノクロ印刷設定に関してはプリンタドライバにて設定した印刷設定が可能になり、背景印刷に関しては強制的に「しない」が設定される。
【００３２】
ユーザグループＣ（エンジニア）は、トナーセーブに関しては強制的に「する（５０％）」、集約印刷に関しては強制的に「する」、モノクロ印刷設定に関しては強制的に「する」、背景印刷に関しては強制的に「しない」が設定される。
【００３３】
ユーザグループＤ（人事、総務）は、トナーセーブに関しては強制的に「する（５０％）」、集約印刷に関しては強制的に「する」、モノクロ印刷設定に関しては強制的に「する」、背景印刷に関しては強制的に「しない」が設定される。
【００３４】
ユーザグループ（財務、経理）Ｅは、トナーセーブに関しては強制的に「する（５０％）」、集約印刷に関しては強制的に「する」、モノクロ印刷設定に関しては強制的に「する」、背景印刷に関しては強制的に「しない」が設定される。
【００３５】
ユーザグループＦ（アルバイト）は、トナーセーブに関しては強制的に「する（５０％）」、集約印刷に関しては強制的に「する」、モノクロ印刷設定に関しては強制的に「する」、背景印刷に関しては強制的に「しない」が設定される。
【００３６】
このように、ユーザ毎に予め定められた印刷設定は、トナーや紙の使用量に影響を与える設定に関しては、例えばいずれのユーザグループに対しても制限をかけている。また、ユーザの職種や業務内容に応じて印刷する資料の質は異なっている。よって、ユーザ毎に予め定められた印刷設定は、職種により高品質な印刷が求められるか否かに応じて変更される。なお、図４に例示した印刷設定は、システム管理者が管理者端末４０などから自由に変更できるようにされている。
【００３７】
図５は、スケジュールサーバ５０が格納している設定解除条件の第１例を示す図表である。設定解除条件は、ユーザのスケジュールのカテゴリ毎に、図４に示した印刷設定を解除可能であるか否かを示している。
【００３８】
例えば、社外資料を作成する場合、トナーセーブ、集約、両面印刷、モノクロ設定を行うと印刷品質が低下して、顧客や取引先へ悪印象を与えてしまう恐れがある。また、提案書の訴求力を高めるために背景印刷が必要な場合もありうる。つまり、社内向けの資料を作成する場合にはトナーセーブ、集約、両面印刷、モノクロ設定などで印刷品質を低下させても問題ないが、作成する資料の性質によっては高品質の印刷設定で印刷しなければならない場合がある。
【００３９】
また、営業系社員などのように、外部資料を作成する機会が多く、高品質の印刷設定で印刷しなければならない場合が多い職種に対しては、制御サーバ３０に格納されている印刷条件によって高品質な印刷を常にできるように設定することも可能である。しかし、印刷資料が外部資料だけというユーザは少なく、営業系社員といえども、社内資料を印刷する機会は多い。営業系社員に対して高品質な印刷を常にできるように設定すると、社内資料に対しても常に高品質な印刷設定で印刷されてしまう。
【００４０】
図５に示したように、ユーザのスケジュールのカテゴリ（カテゴリ情報）に応じて印刷設定を変更（予め定められた印刷設定を解除）可能にすることにより、社外資料に対しては高品質な印刷を行わせ、社内資料に対しては強制的に低コスト印刷を行わせることが可能である。また、スケジュールのカテゴリ毎の設定解除条件については、システム管理者が管理者端末４０を使用して、業務内容に応じて自由に追加、削除、編集が可能であるものとする。
【００４１】
図６は、スケジュールサーバ５０に登録されているユーザグループＡ（営業系社員）の一週間のスケジュールを例示する図表である。スケジュールの内容に対するかっこ書きは、登録されているスケジュールのカテゴリを示している。また、図６においては、例えば８時台の期間（８時から９時前までの期間）を８：００と記している。
【００４２】
そして、例えばカテゴリが”社外資料作成”となっている予定時間帯のみが、図５に示した設定解除条件に従って、予め定められた低コスト印刷とする印刷設定を解除可能になっている。カテゴリが”その他”に分類されている時間帯は、図４に示した制御サーバ３０に登録されている印刷設定に従って、強制的に低コスト印刷とする印刷設定が実行される。なお、「予定時間帯」とは、所定の用件や作業などと、時間とが予め対応付けられて設定されている期間とする。また、所定の用件や作業などと、時間とが予め対応付けられて設定されている期間以外の期間を、「他の時間帯」と記すことがある。
【００４３】
また、印刷設定の設定解除条件は、スケジュールに登録された時間帯のみとした場合を例に説明しているが、これに限定されない。例えば、スケジュールに登録されている時間帯の前後１０分は印刷設定の解除を可能とすることなどを、システム管理者が設定可能にされてもよい。また、印刷設定の設定解除条件は、スケジュールが入力されている時間帯と、当該設定解除条件が有効となる時間帯とが一致していることに限定されない。
【００４４】
図７は、スケジュールサーバ５０が格納している設定解除条件の第２例を示す図表である。図７に示したように、印刷設定の設定解除条件は、スケジュールが設定されている時間帯とは異なる時間帯に適用されるように構成されてもよい。設定解除条件の第２例のように、外出などのスケジュールが登録されて外部向け資料を作成することが多いワークフローがある場合などには、外出直前の３０分前（又は前日の夕方の時間帯）のみに対して印刷設定の解除を可能とするなど、ユーザの仕事の仕方に合わせて印刷設定が行われてもよい。
【００４５】
次に、画像処理システムの動作例について詳述する。図８は、画像処理システムの動作例を示すシーケンス図である。図８に示すように、ユーザ端末１０は、ドライバにより変換された印刷データを印刷ジョブ（印刷ＪＯＢ）として、複合機２０に送信する（Ｓ１００）。印刷ジョブには、印刷者のＩＤなどのユーザ識別情報も含まれるものとする。
【００４６】
複合機２０は、受け取ったユーザ識別情報を制御サーバ３０に送信する（Ｓ１０２）。制御サーバ３０は、ユーザグループに設定されている低コスト印刷に関する印刷設定（設定条件）を条件格納部３１から読み出して参照する（Ｓ１０４）。
【００４７】
次に、制御サーバ３０は、ユーザ識別情報をスケジュールサーバ５０に送信することにより、設定解除条件を問い合わせる（Ｓ１０６）。スケジュールサーバ５０は、ユーザ識別情報を用いて現在のユーザのスケジュール内容を確認する（Ｓ１０８）。また、スケジュールサーバ５０は、スケジュールのカテゴリを用いて低コスト印刷に関する印刷設定の設定解除条件を参照する（Ｓ１１０）。そして、スケジュールサーバ５０は、設定解除条件を制御サーバ３０に送信する（Ｓ１１２）。
【００４８】
制御サーバ３０は、条件格納部３１における印刷設定と、スケジュールサーバ５０から送信された設定解除条件とに基づいて、印刷ジョブに対する印刷設定（設定条件）を決定する（Ｓ１１４）。そして、制御サーバ３０は、決定した印刷設定（設定条件）を複合機２０に送信する（Ｓ１１６）。複合機２０は、制御サーバ３０から送信された印刷設定に基づいて印刷を実行し（Ｓ１１８）、印刷を実行した旨をユーザ端末１０に通知する（Ｓ１２０）。
【００４９】
このように、実施の形態にかかる画像形成システム又は画像処理装置は、ユーザのスケジュールの内容に応じて印刷設定を切替えることができる。より具体的には、印刷ジョブが含むユーザ識別情報と印刷設定とを、印刷ジョブから取得し、取得したユーザ識別情報と、ユーザ毎に予め定められた印刷設定、ユーザそれぞれのスケジュール、及びユーザ毎に予め定められた印刷設定をスケジュールに応じて解除する設定解除条件とに基づいて、印刷ジョブに対する印刷設定を決定するので、ユーザのスケジュールの内容に応じて印刷設定を切替えることができる。
【符号の説明】
【００５０】
１０  ユーザ端末
２０  複合機
２１  受信部
２２  スプール部
２３  ジョブ解析部
２４  ジョブ情報取得部
２５  機器情報取得部
２６  情報送信部
２７  内容更新部
２８  画像形成部
２９  印刷実行部
３０  制御サーバ
３１  条件格納部
３２  情報取得部
３３  内容決定部
３４  内容送信部
４０  管理者端末
５０  スケジュールサーバ
５１  情報取得部
５２  スケジュール格納部
５３  設定解除条件格納部
５４  内容送信部
【先行技術文献】
【特許文献】
【００５１】
【特許文献１】特開２０１０−１９１５７０号公報
【図１】
2015169957.tif 000003
【図２】
2015169957.tif 000004
【図３】
2015169957.tif 000005
【図４】
2015169957.tif 000006
【図５】
2015169957.tif 000007
【図６】
2015169957.tif 000008
【図７】
2015169957.tif 000009
【図８】
2015169957.tif 000010